(57)【要約】      （修正有）【課題】基板同士の操作・表示パネル体へ組付ける際の間隙ピッチが複数種類あっても、ベースアッシー体の形状を共用化することのできる電子機器における基板の取付け構造を提供する。【解決手段】筐体本体２のフロント側に操作・表示パネル体４を配設し、リア側に外部機器に電気的に接続するためのソケット端子５ａを有するベースアッシー体５を配設し、操作・表示パネル体４側に基板３−１、３−２の一側部を装着し、ベースアッシー体５に、操作・表示パネル体４側に延在する基板保持脚部６−１〜６−４を互いに離間対向するように突出形成し、基板保持脚部６−１〜６−４にそれぞれ基板３−１、３−２の他側部を嵌合把持する把持溝部７を形成している場合、把持溝部７の幅寸法を基板３−１〜３−４の厚さ寸法より大きく設定し、把持溝部７に基板の他端部を嵌合した際に形成される隙間にスペーサ８を介在させて、基板の他側部を把持溝部により把持固定した。【選択図】図１
2008103540.tif 000002
【特許請求の範囲】
【請求項１】
筐体本体のフロント側に操作・表示パネル体を配設するとともに、前記筐体本体のリア側に外部機器に電気的に接続するためのソケット端子を有するベースアッシー体を配設しており、前記操作・表示パネル体側に制御ユニットを構成する基板の一側部を装着し、且つ、前記ベースアッシー体に、前記操作・表示パネル体側に延在する基板保持脚部を互いに離間対向するように少なくとも一対突出形成し、該基板保持脚部にそれぞれ前記基板の他側部を嵌合把持する把持溝部を形成してなる電子機器における基板の取付け構造であって、前記把持溝部の幅寸法を前記基板の厚さ寸法より大きく設定し、前記把持溝部に前記基板の他端部を嵌合した際に形成される隙間にスペーサを介在させることによって、前記基板の他側部を前記把持溝部により把持固定したことを特徴とする電子機器における基板の取付け構造。
【請求項２】
前記スペーサは、別体で構成したことを特徴とする請求項１記載の電子機器における基板の取付け構造。
【請求項３】
前記スペーサを、前記把持溝部における前記基板に対して前記筐体本体の外側に介在させることによって、前記基板を前記筐体本体の内部側にスライドさせた状態で保持したことを特徴とする請求項２記載の電子機器における基板の取付け構造。
【請求項４】
前記スペーサを、前記把持溝部における前記基板に対して前記筐体本体の内側に介在させることによって、前記基板を前記筐体本体の外部側にスライドさせた状態で保持したことを特徴とする請求項２記載の電子機器における基板の取付け構造。
【請求項５】
前記スペーサは、前記把持溝部の溝壁に一体に突出形成したことを特徴とする請求項１記載の電子機器における基板の取付け構造。
【発明の詳細な説明】
【技術分野】
【０００１】
本発明は、温度調節器或いはタイマー等の電子機器における基板の取付け構造に関するものである。
【背景技術】
【０００２】
従来のたとえば温度調節器やタイマーのような電子機器ａは、図１２に示すように、前後が互いに開口した箱型状の筐体本体ｂ内に制御ユニット用の基板ｃを例えば一対収容して構成し、且つ、筐体本体ｂのフロント側開口部ｄに操作・表示パネル体ｅを配設してフロント側開口部ｄを閉塞するとともに、リア側開口部ｆにベースアッシー体ｇを配設してリア側開口部ｆを閉塞して構成している。
【０００３】
筐体本体ｂに収容された基板ｃは、その一端が操作・表示パネル体ｅ側に予め組付け装着されていている。
【０００４】
ベースアッシー体ｇは、筐体本体ｂのリア側開口部ｆの形状に適合するように矩形状を呈しており、その略中央部には不図示の外部機器に接続するための複数個のソケット端子ｈが互いに離間した状態で設けられている。
【０００５】
また、ベースアッシー体ｇの４つの隅角部には、筐体本体ｂの内側に開口するような前後方向視Ｌ字状をなすチャンネル状の基板保持脚部ｉがそれぞれ操作・表示パネル体ｅ側に突出形成されている。
【０００６】
４つの基板保持脚部ｉには、操作・表示パネル体ｅ側の先端部をそれぞれ残して角部を切欠くことによって把持溝部ｊが形成されており、基板保持脚部ｉは、上下一対の組となって構成しており、上下方向に互いに対向する把持溝部ｊにそれぞれ基板ｃの他側部の上下端部をそれぞれ嵌合して把持するように構成している。
【０００７】
この結果、一対の基板ｃは、筐体本体ｂ内において、筐体本体ｂの互いに対向する左右側壁ｃ−１、ｃ−２にそれぞれ沿うように、収容されることになる(類似する電子機器として特許文献１参照)。
【特許文献１】特開２００４−１２８１３７号公報。(仮置き：補充願います)
【発明の開示】
【発明が解決しようとする課題】
【０００８】
上記のように構成する電子機器ａにおいて、前述したように、筐体本体ｂ内において、一対の基板ｃは、それぞれ所定の間隙ピッチ（両基板ｃの厚さ方向中心間距離）を持って収容されていることになる。
【０００９】
このような基板ｃ間の間隙ピッチにおいては、電子機器ａにおける外観形状等その他の構成が全く共用化しているにも拘らず基板ｃの厚さ寸法や絶縁距離等の違いから、たとえば、温度調節器とタイマーとの間や、同じ温度調節器あるいはタイマーでも新旧のタイプによって、図１３に示す間隙ピッチｐ１と図１４に示す間隙ピッチｐ２とが異なる場合がある。
【００１０】
すなわち、図１３に示す電子機器ａの基板ｃ間の間隙ピッチｐ１がたとえば３６ｍｍであるのに対し、図１４に示す電子機器ａの基板ｃ間の間隙ピッチｐ２が３４ｍｍとなって、基板ｃが操作・表示パネル体ｅに組み付けられている。
【００１１】
このために、基板ｃの他側部を嵌合挟持する基板保持脚部ｉの寸法形状或いは形成位置等がそれぞれ異なることになって、これに対応するためのベースアッシー体ｇを成形する金型を、複数種類用意することになり、ベースアッシー体ｇ、延いては電子機器ａ自体の製作コストをアップする要因となっていた。
【００１２】
そこで、本発明はかかる従来の課題を改善するために案出されたもので、基板同士の操作・表示パネル体へ組付ける際の間隙ピッチが複数種類あったとしても、ベースアッシー体の形状を共用化して、ベースアッシー体、延いては電子機器自体の製作コストを安価にすべくなした電子機器における基板の取付け構造を提供することを目的としている。
【課題を解決するための手段】
【００１３】
上記目的を達成するために、本発明に係る電子機器における基板の取付け構造は、筐体本体のフロント側に操作・表示パネル体を配設するとともに、前記筐体本体のリア側に外部機器に電気的に接続するためのソケット端子を有するベースアッシー体を配設しており、前記操作・表示パネル体側に制御ユニットを構成する基板の一側部を装着し、且つ、前記ベースアッシー体に、前記操作・表示パネル体側に延在する基板保持脚部を互いに離間対向するように少なくとも一対突出形成し、該基板保持脚部にそれぞれ前記基板の他側部を嵌合把持する把持溝部を形成してなる電子機器における基板の取付け構造であって、前記把持溝部の幅寸法を前記基板の厚さ寸法より大きく設定し、前記把持溝部に前記基板の他端部を嵌合した際に形成される隙間にスペーサを介在させることによって、前記基板の他側部を前記把持溝部により把持固定したことを特徴とするものである。
【００１４】
かかる構成により、本発明は、把持溝部の幅寸法を基板の厚さ寸法より大きく設定したことにより、例えば一対の基板が筐体本体内において互いに対向するように収容された場合に、当該基板同士の間隙ピッチが広狭あったとしても、把持溝部内を筐体本体に対して外側或いは内側にスライド移動させることにより、間隙ピッチの寸法を選択することができ、このために、ベースアッシー体の共用化を果たして、当該ベースアッシー体延いては電子機器自体の製作コストを安価に提供することができる。
【００１５】
更に、かかる構成により、本発明は、把持溝部の幅寸法を基板の厚さ寸法より大きく設定したことにより、基板の嵌合後には隙間が形成されることになるが、この隙間をスペーサを介在させることによって吸収することができ、基板の他端側の把持固定を確実堅固なものにして、電子機器自体の構造的な強度を確保することができる。
【００１６】
また、本発明に係る電子機器における基板の取付け構造は、前記スペーサを別体で構成してもよい。
【００１７】
かかる構成により、把持溝部の幅寸法を基板の厚さ寸法より大きく設定したとしても、基板の嵌合後に形成される隙間を別体のスペーサを介在させることによって吸収することができ、基板の他端側の把持固定は確実堅固なものにすることができ、しかも、スペーサを別体に形成するために新たな成形金型を必要とするが、スペーサの構成自体が単に隙間を埋めるという簡単なものに構成することができるので、従来のようにベースアッシー体ｇ自体を複数種用意する場合に比較して、コストアップの幅を非常に小さくすることができる。
【００１８】
また、本発明に係る電子機器における基板の取付け構造は、前記スペーサを、前記把持溝部における前記基板に対して前記筐体本体の外側に介在させることによって、前記基板を前記筐体本体の内部側にスライドさせた状態で保持するようにしてもよい。
【００１９】
かかる構成により、筐体本体内において、互いに一対の基板が対向して収容されている場合に、基板同士の間隙ピッチを狭く設定することができる。
【００２０】
また、本発明に係る電子機器における基板の取付け構造は、前記スペーサを、前記把持溝部における前記基板に対して前記筐体本体の内側に介在させることによって、前記基板を前記筐体本体の外部側にスライドさせた状態で保持するようにしてもよい。
【００２１】
かかる構成により、筐体本体内において、互いに一対の基板が対向して収容されている場合に、基板同士の間隙ピッチを広く設定することができる。
【００２２】
また、本発明に係る電子機器における基板の取付け構造は、前記スペーサを前記把持溝部の溝壁に一体に突出形成するようにしてもよい。
【００２３】
かかる構成により、把持溝部への基板の嵌合挟持を別体のスペーサを使用することなく簡単に行うことができ、しかも、一体形成したスペーサの一部を切除する等により、基板同士の間隙ピッチを所定寸法にすることができる。
【発明の効果】
【００２４】
本発明に係る電子機器における基板の取付け構造によれば、把持溝部の幅寸法を基板の厚さ寸法より大きく設定したことにより、例えば一対の基板が筐体本体内において互いに対向するように収容された場合に、当該基板同士の間隙ピッチが広狭あったとしても、把持溝部内を筐体本体に対して外側或いは内側にスライド移動させることにより、間隙ピッチの寸法を選択することができ、このために、ベースアッシー体の共用化を果たして、当該ベースアッシー体延いては電子機器自体の製作コストを安価に提供することができ、しかもスペーサの介在により電子機器自体の構造的な強度を確保することができる。
【発明を実施するための最良の形態】
【００２５】
本発明の実施の形態を、図面を参照して詳述する。
【００２６】
図１は本発明における一の実施の形態に係る基板の取付け構造を採用した電子機器の電子筐体の一部破断した状態における基板同士の間隙ピッチが大なる場合を描画した斜視図、図２は図１の電子機器の筐体本体から取り外したベースアッシー体に基板を把持固定した状態を描画した斜視図、図３は図２の分解斜視図、図４は図１における電子機器における一部破断側面図、図５は図４のＡ−Ａ断面図、図６は本発明における一の実施の形態に係る基板の取付け構造を採用した電子機器の一部破断した状態における基板同士の間隙ピッチが小なる場合を描画した斜視図、図７は図６の電子機器の電子機器の筐体本体から取り外したベースアッシー体に基板を把持固定した状態を描画した斜視図、図８は図７の分解斜視図、図９は図６の電子機器における一部破断側面図、図１０は図９のＢ−Ｂ断面図である。
【００２７】
図において、例えば温度調節器或いはタイマーのような電子機器１（図１乃至図５に示す場合）或いは電子機器１−１（図６乃至図１０に示す場合）は、前後が互いに開口した箱型状の筐体本体２内に制御ユニット用の一対の基板３−１、３−２（又は基板３−３、３−４）を収容して構成し、且つ、筐体本体２のフロント側開口部２ａに操作・表示パネル体４を配設してフロント側開口部２ａを閉塞するとともに、リア側開口部２ｂにベースアッシー体５を嵌合配設してリア側開口部２ｂを閉塞して構成している。
【００２８】
筐体本体２に収容された基板３−１、３−２或いは基板３−３、３−４は、その一端が図示しないが操作・表示パネル体４側に予め組付け装着されている。
【００２９】
ベースアッシー体５は、筐体本体２のリア側開口部２ｂの形状に適合するように矩形状を呈しており、その略中央部には不図示の外部機器に電気的に接続するための複数個のソケット端子５ａが互いに離間して円状になるように設けられている。
【００３０】
また、ベースアッシー体５の４つの隅角部には、筐体本体２の内側に開口するような前後方向視略Ｌ字状をなすチャンネル状の基板保持脚部６−１、６−２、６−３，６−４がそれぞれ操作・表示パネル体４側に突出延在するように形成されている。
【００３１】
基板保持脚部６−１、６−２、６−３，６−４には、操作・表示パネル体４側の先端部６ｄを残して角部を切欠くことによって把持溝部７が形成されている。
【００３２】
把持溝部７は、基板保持脚部６−１、６−２、６−３，６−４の互いに対向する両起立側壁６ａ、６ｂによって構成されている。
【００３３】
両起立側壁６ａ及び６ｂにおける離間寸法が、図５又は図１０に示すように、把持溝部７の幅寸法Ｘとなっており、図５に示す基板３−１、３−２の厚さ寸法Ｙ−１及び図１０に示す基板３−３、３−４の厚さ寸法Ｙ−２より大きく設定されている。
【００３４】
例えば、基板３−１、３−２の厚さ寸法Ｙ−１がそれぞれ１．６ｍｍ、基板３−３、３−４の厚さ寸法Ｙ−２がそれぞれ１．２ｍｍとして、図５に示す両基板３−１、３−２における厚さ方向中心間距離である基板間ピッチＨ−１が３６ｍｍ、図１０に示す両基板３−３、３−４における厚さ方向中心間距離である基板間ピッチＨ−２が３４ｍｍを要する場合、把持溝部７の幅寸法Ｘは２．６ｍｍに設定し、両把持溝部７の中心間距離Ｚは３５．２ｍｍに設定している。
【００３５】
かかる構成によれば、先ず、電子機器１側の場合、基板保持脚部６−１、６−２、６−３，６−４のうち、筐体本体２の操作・表示パネル体４に向かって左側の上下方向に対向する基板保持脚部６−１、６−２、及び筐体本体２の操作・表示パネルに向かって右側の上下方向に対向する基板保持脚部６−３、６−４が、それぞれ一対となって、基板３−１、３−２の他端側をそれぞれ把持固定することになる。
【００３６】
すなわち、図５に示すように、基板保持脚部６−１、６−２の把持溝部７、７は、それぞれ、一端が操作・表示パネル体４の左側に組み付けられた基板３−１の他端上下をそれぞれ嵌合することによって、基板３−１を把持固定している。
【００３７】
また、基板保持脚部６−３、６−４の把持溝部７、７は、それぞれ、一端が操作・表示パネル体４の右側に組み付けられた基板３−２の他端上下をそれぞれ嵌合することによって、基板３−２を把持固定している。
【００３８】
この時、把持溝部７、７の幅寸法Ｘが、基板３−１、３−２の厚さ寸法Ｙ−１よりも、大きく設定されているために、把持溝７内において、隙間Ｓ１が形成されることになるが、隙間Ｓ１内は、図３に示す一方のスペーサ８を嵌合することによって解消し、把持溝部７、７は基板３−１、３−２の他端部をそれぞれ把持固定することになる。
【００３９】
そして、スペーサ８は、図５に示すように、把持溝部７における基板３−１、３−２よりも内側に嵌合されている結果、基板３−１と基板３−２との基板間ピッチＨ−１を大きく取ることができることになり、そして、例えば、基板間ピッチＨ−１を３６ｍｍに構成する場合、スペーサ８の厚さ寸法は０．８ｍｍに設定してある。
【００４０】
一方のスペーサ８は、図３に示すように、短冊平板状の嵌合部８ａと、嵌合部８ａの上端に筐体本体２の前後方向に延在突出するように形成された係合突起８ｂとからなる略逆Ｌ字状を呈して構成している。
【００４１】
そして、嵌合部８ａが把持溝部７内に嵌合されることによって、隙間Ｓ２を解消することになり、従って、嵌合部８ａの厚さ寸法が、０．８ｍｍに設定されていることになる。
【００４２】
また、係合突起８ｂは、嵌合部８ａの把持溝部７内への嵌合によって、上部側の基板保持脚６−１、６−２の角部の切欠きによって形成された棚部６ｃに当接係合して、スペーサ８の把持溝部７からの抜け止めされないように作用している（図４に示す状態を参照）。
【００４３】
次に、電子機器１に対して他の種あるいは同種で型式が異なる他方の電子機器１−１の場合には、図１０に示す世に、基板保持脚部６−１、６−２の把持溝部７、７は、それぞれ、一端が操作・表示パネル体４の左側に組み付けられた基板３−３の他端上下をそれぞれ嵌合することによって、基板３−３を把持固定している。
【００４４】
また、基板保持脚部６−３、６−４の把持溝部７、７は、それぞれ、一端が操作・表示パネル体４の右側に組み付けられた基板３−４の他端上下をそれぞれ嵌合することによって、基板３−４を把持固定している。
【００４５】
この時、把持溝部７、７の幅寸法Ｘが、基板３−３、３−４の厚さ寸法Ｙ−２よりも、大きく設定されているために、把持溝７、７内において、隙間Ｓ２が形成されることになるが、隙間Ｓ２内は、図８に示す他方のスペーサ９を嵌合することによって解消し、把持溝部７、７は基板３−３、３−４の他端部をそれぞれ把持固定することになる。
【００４６】
そして、他方のスペーサ９は、図１０に示すように、把持溝部７における基板３−３、３−４よりも外側に嵌合されている結果、基板３−３と基板３−４との基板間ピッチＨ−２を小さく取ることができることになる。そして、例えば、基板間ピッチＨ−２を３４ｍｍに構成する場合、スペーサ９の厚さ寸法は１．２ｍｍに設定してある。
【００４７】
他方のスペーサ９は、図８に示すように、短冊平板状の嵌合部９ａと、嵌合部９ａの上端に筐体本体２の左右方向に延在突出するように形成された係合突起９ｂとからなる略逆Ｌ字状を呈して構成している。
【００４８】
そして、嵌合部９ａが把持溝部７内に嵌合されることによって、隙間Ｓ２を解消することになり、従って、嵌合部９ａの厚さ寸法が、１．２ｍｍに設定されていることになる。
【００４９】
また、係合突起９ｂは、嵌合部９ａの把持溝部７内への嵌合によって、上部側の基板保持脚６−１、６−２の角部の切欠きによって形成された棚部６ｃに当接係合して、スペーサ９の把持溝部７からの抜け止めされないように作用している（図９に示す状態を参照）。
【００５０】
以上のように構成する場合、把持溝部７の幅寸法Ｘを基板３−１、３−２の厚さ寸法Ｙ−１及び基板３−３、３−４の厚さ寸法Ｙ−２より大きく設定されていることから、例えば一対の基板３−１、３−２或いは基板３−３、３−４が筐体本体２内において互いに対向するように収容された場合に、当該基板３−１、３−２或いは基板３−３、３−４同士の間隙ピッチ（基板間ピッチＨ−１、Ｈ−２に相当）が広狭あったとしても、把持溝部７内を筐体本体２に対して外側或いは内側にスライド移動させることにより、間隙ピッチの寸法を選択することができ、このために、ベースアッシー体５の共用化を果たして、ベースアッシー体５延いては電子機器１自体の製作コストを安価に提供することができる。
【００５１】
また、かかる構成により、本発明は、把持溝部７の幅寸法Ｘを基板３−１、３−２或いは基板３−３、３−４の厚さ寸法より大きく設定したことにより、基板３−１、３−２或いは基板３−３、３−４の嵌合後には隙間Ｓ１、Ｓ２が形成されることになるが、この隙間Ｓ１，Ｓ２をスペーサ８或いは９をそれぞれ介在させることによって吸収することができ、基板３−１、３−２或いは３−３、３−４の他端側の把持固定を確実堅固なものにして、電子機器１或いは他の電子機器１−１自体の構造的な強度を確保することができ、しかも、スペーサ８、９を別体に形成するために新たな成形金型を必要とするが、スペーサ８、９の構成自体が単に隙間を埋めるという簡単なものに構成することができるので、従来のようにベースアッシー体ｇ自体を複数種用意する場合に比較して、コストアップの幅を非常に小さくすることができる。
【００５２】
図１１は本発明における別の実施の形態を示すものであり、上記実施の形態におけるスペーサ８、９が、筐体本体２に対して別体構成としてものであるのに対し、把持溝部７の溝壁７ａに一体に一対突出形成して構成したものである。
【００５３】
かかる構成により、把持溝部７への基板３−１、３−２或いは３−３、３−４の嵌合挟持を別体のスペーサ８，９を使用することなく簡単に行うことができ、しかも、一体形成したスペーサの一方を切除することにより、基板３−１、３−２或いは３−３、３−４同士の間隙ピッチを所定寸法にすることができる。
【産業上の利用可能性】
【００５４】
本発明に係る電子機器における基板の取付け構造は、把持溝部の幅寸法を基板の厚さ寸法より大きく設定したことにより、例えば一対の基板が筐体本体内において互いに対向するように収容された場合に、当該基板同士の間隙ピッチが広狭あったとしても、把持溝部内を筐体本体に対して外側或いは内側にスライド移動させることにより、間隙ピッチの寸法を選択することができ、このために、ベースアッシー体の共用化を果たして、当該ベースアッシー体延いては電子機器自体の製作コストを安価に提供することができ、しかもスペーサの介在により電子機器自体の構造的な強度を確保することができることから、温度調節器或いはタイマー等の電子機器における基板の取付け構造等に好適である。
【図面の簡単な説明】
【００５５】
【図１】本発明における一の実施の形態に係る基板の取付け構造を採用した電子機器の筐体本体の一部破断した状態における基板同士の間隙ピッチが大なる場合を描画した斜視図である。
【図２】図１の電子機器の筐体本体から取り外したベースアッシー体に基板を把持固定した状態を描画した斜視図である。
【図３】図２の分解斜視図である。
【図４】図１における電子機器における一部破断側面図である。
【図５】図４のＡ−Ａ断面図である。
【図６】本発明における一の実施の形態に係る基板の取付け構造を採用した電子機器の一部破断した状態における基板同士の間隙ピッチが小なる場合を描画した斜視図である。
【図７】図６の電子機器の電子機器の筐体本体から取り外したベースアッシー体に基板を把持固定した状態を描画した斜視図である。
【図８】図７の分解斜視図である。
【図９】図６の電子機器における一部破断側面図である。
【図１０】図１０は図９のＢ−Ｂ断面図である。
【図１１】本発明における他の実施の形態における図９のＢ−Ｂ断面図である。
【図１２】従来における基板の取付け構造を採用した電子機器の電子筐体の一部破断した状態を描画した斜視図である。
【図１３】図１２のＣ−Ｃ断面図で、基板同士の間隙ピッチが大なる場合を描画している。
【図１４】同じく、図１２のＣ−Ｃ断面図で、基板同士の間隙ピッチが小なる場合を描画している。
【符号の説明】
【００５６】
１、１−１        電子機器
２                筐体本体
３−１〜３−４    基板
４                操作・表示パネル体
５                ベースアッシー体
５ａ              ソケット端子
６−１、６−２、６−３、６−４    基板保持脚部
７                把持溝部
Ｈ−１、Ｈ−２    基板間ピッチ（間隙ピッチ）
Ｓ１，Ｓ２        隙間
【図１】
2008103540.tif 000003
【図２】
2008103540.tif 000004
【図３】
2008103540.tif 000005
【図４】
2008103540.tif 000006
【図５】
2008103540.tif 000007
【図６】
2008103540.tif 000008
【図７】
2008103540.tif 000009
【図８】
2008103540.tif 000010
【図９】
2008103540.tif 000011
【図１０】
2008103540.tif 000012
【図１１】
2008103540.tif 000013
【図１２】
2008103540.tif 000014
【図１３】
2008103540.tif 000015
【図１４】
2008103540.tif 000016